(57)【要約】【課題】従来の原稿ホルダーでディスプレー横に原稿を立て掛けるもので作業をすると作業者の視線は原稿から横にあるディスプレーへ、そして下にあるキーボードへ、さらに、又横にある原稿へと複雑な動作を余儀なくされ非効率的でしかも作業者の疲労度も高い。  本発明は、かかる問題点を解消すべく案出したもであって構造の複雑化を招くことなく、しかも使用時における作業者の疲労や作業効率の不都合を有効に防止する原稿ホルダーを提供することを目的とする。【解決手段】コンピュータのディスプレーとキーボードの間に原稿データを表示するために用いられる原稿ホルダーであって、原稿データを表示する書見部をディスプレーとキーボードの間に置き、そして、前記キーボードの下に原稿を展開するスペースを形成し、小面積でディスプレー、原稿、キーボードの配置を、縦方向に並べることを可能とした。【選択図】  図１１
2008059107.tif 000002
【特許請求の範囲】
【請求項１】
ディスプレーとキーボードの間に原稿データを表示するために用いられる原稿ホルダーであって、原稿データを表示する書見部４をディスプレーＤとキーボードＫの間に置いて、前記キーボードＫの下に原稿を展開するスペース１０を形成したことを特徴とする原稿ホルダー。
【発明の詳細な説明】
【技術分野】
【０００１】
本発明はデスクトップコンピューター（パソコン）やワードプロセッサ（以後単にコンピュータということもある）などの原稿ホルダーに関する。          
【背景技術】
【０００２】
原稿をディスプレーとコンピュータのキーボード（以後、単にキーボ−ドということもある）の間に配置したものが種々ある。
例えば、（特許文献１参照）に記載あるように、この原稿ホルダーは三角柱で構成されていて、原稿を、この三角柱に巻きつけて使用する。さらに、（特許文献２参照）では、ディスプレーとキーボードの間に、原稿全面を略水平に展開する。
【特許文献１】特開２００６−５３８７９
【特許文献２】特願２００２−２６４７８４
【発明の開示】
【発明が解決しようとする課題】
【０００３】
上記したように、コンピュータのディスプレーとキーボードの間に原稿データを表示する上記三角柱型の原稿ホルダーは原稿が三等分され、原稿データ表示部分が狭い。さらに、巻きつける手間がかかるとともに、原稿用紙に折れ目がついて後始末が悪い。又、（特願２００２−２６４７８４）はコンピュータ台の水平面に合わせて略水平に原稿全面を展開表示するから、狭い机上に大きなスペースを必要とする難点がある。そこで、本発明は、かかる問題点を解消すべく案出したもであって構造の複雑化を招くことなく、しかも使用時における作業者の疲労や作業効率の不都合を有効に防止する原稿ホルダーを提供することを目的とする。
【課題を解決するための手段】
【０００４】
上記の問題点を解消するため本発明は、コンピュータのディスプレーとキーボードの間に原稿データを表示するために用いられる原稿ホルダーであって、原稿データを表示する書見部をディスプレーとキーボードの間に置いて、前記キーボードの下に原稿を展開するスペースを形成し、ディスプレー、原稿、キーボードを縦方向一列に並べることを可能とした。即ち、本原稿ホルダーは原稿を安定に誘導するための幅ガイドと押さえガイドを備えた基体が主体で、該基体は台座部、書見部、背面部からなり、前記台座部の一側が上方に伸び、該上方に伸びた所を書見部とし、その先が下方に湾曲して折り返り、該折り返った所を背面部とする。そして前記データ読み取り場所である書見部に、該書見部の面積と等しい原稿データが表示される。そして前記書見部からはみだした原稿データ部分は、キーボードの下と、背面部に形成されたスペースに一時展開される。前記のようにキーボードの下を有効利用することで、本原稿ホルダーが机上に占める面積は書見部の面積に略等しく小面積で非常に使い勝手がよい。
【０００５】
そして前記基体を正面（以後、本基体の背面部側の反対側を該基体、台座部又は本原稿ホルダーの正面又は正面側ということもある）から見ての左右両端に前記幅ガイドを設け、さらに前記幅ガイドより幅広の押さえガイド材を用意し前記台座部と前記背面部の前記幅ガイドを基体と前記押さえガイド材で挟着する。該押さえガイドの形状は前記台座部と前記背面部の全面を覆うか又は前記幅ガイドより幅広であればいずれの形状でもよい。
そして前記基体の正面側又は書見部に原稿の出し入れ口を設ける。
【０００６】
次に本原稿ホルダーの使用法を説明すれば、原稿データを表示する書見部をディスプレーとキーボードの間に置き、台座部に形成された原稿を展開するためのスペースがキーボードの下に位置するようにする。そして前記基体の正面側又は書見部に設けた口から原稿を挿入し、原稿の前半が書見部の所要箇所になるよう指などで押して位置調整をする。前記原稿の前半データ読み取り後、さらに原稿を上方に進めると原稿の先端は湾曲した押さえガイドに沿って下方に折り返し背面部に到る。そして原稿の終端が書見部に現れる。次に、この原稿データ読み取り後は前記の口に原稿を戻し取り出して作業が終了する。
【発明の効果】
【０００７】
本発明にかかわる原稿ホルダーによれば、構造の複雑化を招くことなく、従来、使用されていなかったキーボードの下を有効に利用し、原稿データを表示する書見部をディスプレーと、キーボードの間に置き、ディスプレー、原稿、キーボードの配置を縦方向に並べることを可能とした。
【発明を実施するための最良の形態】
【０００８】
本発明の原稿ホルダーを図１ないし図１１を用いて説明する。図１中、１は、本例の原稿ホルダーであって、本例では（図２）で示す板状の合成樹脂からなる基体２が主体で、該基体２は台座部３、書見部４、背面部５からなり、前記書見部４は前記台座部３の一側から上方に伸び、その先が湾曲して下方に折り返し前記背面部５（図１、図２、図３）が形成されている。又、基体２を正面側から見て該基体２の左右両側には原稿を誘導する幅ガイド８と幅ガイド８ａが設けられている。そして前記台座部３は図１、図４で示すように押さえガイド７と基体２で幅ガイド８と８ａを挟着し前記台座部３の上面全部を覆っている。さらに背面部５に於いても図１と図６で示すように押さえガイド７ａと基体２で幅ガイド８と８ａを挟着し背面部５の全面を覆っている。そして前記基体２と前記押さえガイド７でスペース１０が形成され、さらに前記基体２と押さえガイド７ａでスペース１０ａが形成されている。
そして台座部３の正面側に原稿を出し入れするための口６を設け、さらに、書見部４にも原稿を出し入れするための口６ａ（図３、図７）を設けている。
【実施例】
【０００９】
本実施例では原稿を出し入れする口は、台座部３の正面側に口６と、書見部４の口６ａが設けているが該出し入れする口は、台座部３の口６の一箇所とするか、又は書見部４の一箇所としてもよい。さらに、図８に示すように７ａ先端部１２を前記台座部３の下を経て台座部３の正面側、口６の下まで延長し、該押さえガイド７ａの先端部１２に原稿の出口１１を設ける。これの使用法は原稿を口６から挿入し、更に原稿を進めると該原稿の先端は書見部４を経て背面部５から台座部３の下を経て口６の下に設けた口１１に戻ってくる構造となっている。このものでは大型原稿の使用に適し、本発明原稿ホルダーの効果を最大限発揮するものである。
【００１０】
さらに図９で示すように実施例１の台座部３を短小化し、又は台座部３を廃し、本原稿ホルダーを前記書見部４と背面部５の構成とし、キーボードＫとキーボード台（コンピュータを置く台で机等）ＫＤ間に生じるスペースをスペース１０としてもよい。該図９も本発明の範囲内であるのは当然である。
【００１１】
さらに次のようにしてもよい。図１０で示すようにキーボードＫの底部１５に原稿展開用のスペース１０と差込口１４を設け、さらに本原稿ホルダーの書見部４に差込１３を設け、該差込１３と前記キーボード底部１０に設けた差込口１３で着脱可能としてもよい。
【００１２】
また、書見部４に磁石ｍを設け、原稿が小さく本原稿ホルダーで保持不可能なものを磁石と鉄片で挟んで保持する。
【図面の簡単な説明】
【００１３】
【図１】本発明の斜視図である。
【図２】本発明の基体側面図である。
【図３】基体と押さえガイドを主体にした側面拡大図である。
【図４】台座部上側全面を押さえガイドで覆った斜視図である。
【図５】台座部押さえガイドを２分割した斜視図である。
【図６】背面部５の全面を押さえガイド７ａで覆った斜視図である。
【図７】台座部３をキーボードの下とし台座部と書見部に口６と口６ａを設けた側面図である。
【図８】口６の下に出口１１を設けた側面図である。
【図９】キーボードＫとキーボード台ＫＤ間にスペースをスペース１０とした側面図である。
【図１０】キーボードに設けた差込口で着脱可能とした側面図である。
【図１１】本発明の使用状態を示す斜視図である。
【符号の説明】
【００１４】
１  本原稿ホルダー全体
２  基体
３  台座部
４  書見部
５  背面部
６  口
７  押さえガイド
８  幅ガイド
９  磁石
１０  キーボードの底部
１１  原稿取り出しのための出口
Ｋ  キーボード
Ｄ  ディスプレー
【図１】
2008059107.tif 000003
【図２】
2008059107.tif 000004
【図３】
2008059107.tif 000005
【図４】
2008059107.tif 000006
【図５】
2008059107.tif 000007
【図６】
2008059107.tif 000008
【図７】
2008059107.tif 000009
【図８】
2008059107.tif 000010
【図９】
2008059107.tif 000011
【図１０】
2008059107.tif 000012
【図１１】
2008059107.tif 000013